(57)【要約】【課題】自動原稿給送装置の傾き調整量の測定精度を著しく高めて、取り付け角度の調整を精度高く低コストで素早く簡単に済ませることができる画像読取装置を提供する。【解決手段】流し読みガラス５下でコンタクトイメージセンサ７を移動させて、自動原稿給送装置３の下面を固定読みする。自動原稿給送装置３の下面には白色シート１６が取り付けてあり、白色シート１６のエッジの影が固定読み画像の輝度レベルを落ち込ませる。コンタクトイメージセンサ７の手前側の画素と奥側の画素とにおける輝度階調の落ち込み位置が一致していれば自動原稿給送装置３が傾き無く設置されていると判断する。一致していない場合、自動原稿給送装置３を傾けるべき方向と傾ける量とを外部モニタに表示する。【選択図】図４
2008061058.tif 000002
【特許請求の範囲】
【請求項１】
読取位置に位置決めされた状態で対向面の線画像を読み取る読取手段と、
前記対向面に沿った前記線画像を横断する方向に原稿を移動させる原稿給送手段と、
前記対向面に沿った前記線画像を横断する方向に前記読取手段を移動させる移動手段と、を備えた画像読取装置において、
前記原稿給送手段が原稿を給送しない状態で前記移動手段を作動させて、前記読取手段により前記原稿給送手段を固定読みさせる制御手段と、
前記原稿給送手段の固定読み結果を用いて前記原稿給送手段の傾きに関する情報を作成する情報作成手段と、を備えたことを特徴とする画像読取装置。
【請求項２】
前記読取手段は、原稿の移動方向を直角に横断する直線を前記原稿給送手段から固定読みし、
前記情報作成手段は、前記直線を含む前記原稿給送手段の固定読み画像を出力することを特徴とする請求項１記載の画像読取装置。
【請求項３】
前記読取手段は、原稿の移動方向を直角に横断する直線を前記原稿給送手段から固定読みし、
前記情報作成手段は、前記直線を含む前記原稿給送手段の固定読み画像を処理して前記直線の傾き方向と傾き量とを求めることを特徴とする請求項１記載の画像読取装置。
【請求項４】
前記読取手段は、原稿の移動方向を直角に横断する直線を前記原稿給送手段から固定読みし、
前記情報作成手段は、前記直線を含む前記原稿給送手段の固定読み信号を処理して前記直線の傾き方向と傾き量とを求めることを特徴とする請求項１記載の画像読取装置。
【請求項５】
前記情報作成手段は、前記線画像の方向に距離を隔てた前記読取手段の少なくとも２点における出力信号ピークを検知して、前記少なくとも２点における前記出力信号ピークのずれ量を求めることを特徴とする請求項４記載の画像読取装置。
【請求項６】
前記情報作成手段は、前記ずれ量が予め定めた許容範囲を逸脱している場合に、前記原稿給送手段による原稿の移動方向の修正方向と修正角度とを出力することを特徴とする請求項５記載の画像読取装置。
【請求項７】
前記原稿給送手段の前記読取手段に対する対向面に配置されて前記読取手段を前記読取位置へ位置決める際の指標となる基準部材を備え、
前記直線は、前記基準部材の縁の影であることを特徴とする請求項２乃至４いずれか１項記載の画像読取装置。
【請求項８】
請求項１乃至７いずれか１項記載の画像読取装置と、
前記画像読取装置で読み取った画像をシートに画像形成する画像形成手段と、
前記画像読取装置による画像の読み取りと前記画像形成手段による画像形成とを指令入力可能な入力手段と、を備え、
前記原稿給送手段の固定読みが前記入力手段を通じて指令されることを特徴とする画像形成装置。
【請求項９】
請求項２記載の画像読取装置と、
前記画像読取装置で読み取った画像をシートに画像形成する画像形成手段と、
前記画像読取装置による画像の読み取りと前記画像形成手段による画像形成とを指令入力可能な入力手段と、を備え、
前記固定読み画像を用いた前記画像形成手段による画像形成が前記入力手段を通じて指令されることを特徴とする画像形成装置。
【請求項１０】
線画像を読み取る読取手段を備えた装置本体に自動原稿給送装置を開閉可能に取り付けた画像読取装置の製造方法において、
前記装置本体に取り付けた前記自動原稿給送装置の下面を前記読取手段により固定読みさせる第１工程と、
前記下面の固定読み結果を用いて自動原稿給送装置の傾き角度を調整する第２工程と、を備えることを特徴とする画像読取装置の製造方法。
【発明の詳細な説明】
【技術分野】
【０００１】
本発明は、位置決めされた線画像の読取手段に原稿を給送して原稿を流し読みする画像読取装置、詳しくは読取手段が読み取る線画像と原稿の搬送方向との角度調整方法に関する。
【背景技術】
【０００２】
自動原稿給送装置を装備した画像読取装置を機体上部に配置した画像形成装置が実用化されている。自動原稿給送装置を装備した画像読取装置は、位置決めされた線画像の読取手段（コンタクトイメージセンサ等）に、自動原稿給送装置が給送する原稿を通過させて、原稿の対向面の画像を流し読みする。
【０００３】
特許文献１には自動原稿給送装置を装備した画像読取装置が示される。ここでは、原稿を載置したガラス板の下で線画像の読取手段を移動（副走査）させて、ガラス板に接触する原稿の下面の画像を固定読みする。そして、同じ読取手段をガラス板の一端側に位置決めた状態で、自動原稿給送装置が原稿を搬送して、読取手段上を通過させることにより、移動する原稿の下面がガラス板を介して流し読みされる。自動原稿給送装置は、給紙トレイに載置した原稿束から原稿を１枚ずつ分離して搬送し、読取手段を通過させた後に排紙トレイへ排出する。
【０００４】
また、流し読み時に読取手段が位置決めされる近くの自動原稿給送装置の底面には、読取手段の全長に対応する長さの白色基準板が配置されている。読取手段を白色基準板下に位置決めて白色基準板を読み取ることによって、線画像を読み取る受光素子アレイ（ＣＣＤ等）の出力調整、および画素ごとの読み取り階調の補正（シェーディング補正）が行われる。
【０００５】
特許文献２には、一対のヒンジを用いて自動原稿給送装置を背後側へ開閉可能に取り付けた画像読取装置が示される。ここでは、固定読みする原稿が載置されるガラス板に近接させて流し読み時に原稿を通過させる細長いガラス板が配置される。２枚のガラス板の境界には、流し読みされた原稿を上方へ案内する原稿ガイドが配置され、流し読み位置の原稿自動給送装置の底面には、ガラス板を通過する原稿高さを位置決めて回転するプラテンローラが配置される。
【０００６】
【特許文献１】特開平２−１２１４７１号公報
【特許文献２】特開２００５−１８４０６９号公報
【発明の開示】
【発明が解決しようとする課題】
【０００７】
自動原稿給送装置は、読取手段が読み取る線画像と直角な方向に原稿を搬送する必要がある。読取手段に対して斜めに原稿が搬送されると、原稿面を斜めに横断する線画像が読み取られてしまい、線画像が原稿の搬送方向と直角であると想定して生成した画像が斜め傾いてしまうからである。
【０００８】
そこで、従来、画像読取装置の装置本体に自動原稿給送装置を取り付けた際には、基準パターンを印刷した原稿を流し読みさせてテストプリントを行い、プリント画像上で画像の傾き角度を実測して自動原稿給送装置の傾き調整量を見積もっていた。プリント画像の傾き角度が相殺される方向に傾き調整量だけ自動原稿給送装置を傾けて取り付け直す調整が行われていた。調整後、再び同様なテストプリントを行ってプリント画像の傾き角度が相殺されていることを確認していた。
【０００９】
しかし、テストプリントでは、仮に原稿を流し読みした画像データに傾きが無くても、画像形成時の用紙の斜行のばらつきがプリント画像に反映されてしまう。従って、テストプリントによる自動原稿給送装置の傾き角度の測定は再現性に乏しく、テストプリント１枚では精度が悪く、かと言って多枚数のテストプリントを行って測定結果を平均するのは能率が悪い。
【００１０】
また、画像形成装置が無いとテストプリントを行えないので、画像形成装置に装備する以前の段階で自動原稿給送装置を画像読取装置に取り付ける場合は、自動原稿給送装置の傾き調整が行えない。
【００１１】
そこで、用紙へのプリント出力は行わず、原稿の流し読み画像を部分的に拡大してモニタ画面に表示して画像データ段階での傾き角度を測定する提案がされた。しかし、自動原稿給送装置でも原稿ごと（給送ごと）の斜行のばらつきが流し読み画像データの傾きをばらつかせるので、１枚の原稿読み取りだけでは、それほど再現性高く自動原稿給送装置の傾き調整量を測定できない。
【００１２】
従って、原稿を実際に流し読みして自動原稿給送装置の傾き角度を調整するのでは、調整精度が低くなる。調整後に再び原稿を実際に流し読みして再調整する場合、要求精度が厳しいと、測定−再調整の手順を何回も繰り返して調整が収束しない可能性がある。無益な繰り返しで調整の作業能率が低下して調整コストが高まったり、出荷製品ごとの調整のばらつきが拡大したりする可能性がある。
【００１３】
本発明は、自動原稿給送装置の傾き調整量の測定精度を著しく高めて、取り付け角度の調整を精度高く低コストで素早く簡単に済ませることができる画像読取装置を提供することを目的としている。
【課題を解決するための手段】
【００１４】
本発明の画像読取装置は、読取位置に位置決めされた状態で対向面の線画像を読み取る読取手段と、前記対向面に沿った前記線画像を横断する方向に原稿を移動させる原稿給送手段と、前記対向面に沿った前記線画像を横断する方向に前記読取手段を移動させる移動手段とを備えたものである。そして、前記原稿給送手段が原稿を給送しない状態で前記移動手段を作動させて、前記読取手段により前記原稿給送手段を固定読みさせる制御手段と、前記原稿給送手段の固定読み結果を用いて前記原稿給送手段の傾きに関する情報を作成する情報作成手段とを備える。
【発明の効果】
【００１５】
本発明の画像読取装置は、テストプリントも原稿の流し読みも行うことなく、原稿給送手段の対向面を読取手段で固定読みして、原稿給送手段の傾き方向および傾き角度が反映された情報を作成する。言い換えれば、原稿給送手段の対向面を搬送される測定用原稿の代わりに対向面それ自体の画像を読み取る。移動（固定読み）範囲の読取手段に対する原稿給送手段の対向面に存在する凹凸、部品の陰影、専用指標、図柄、プラテンローラ、白色基準板等のうち少なくとも１つが固定読みされる。
【００１６】
従って、原稿給送手段の固定読み結果からは、原稿ごと（給送ごと）の原稿給送手段に対する原稿の傾きのばらつきを排除した、読取手段に対する原稿給送手段の傾き調整量を求めることができる。
【００１７】
従って、テストプリントによる原稿給送手段の傾き調整量に含まれていた誤差要因が取り除かれて、読取手段に対する原稿給送手段の傾きの実態を１回で正確に把握できる。測定された傾き調整量に基づく１回の調整で読取手段に対する原稿給送手段の傾きを相殺できる。調整後の１回の測定で調整結果を確実に確認できる。
【００１８】
従って、原稿給送手段の傾き調整量の測定精度が著しく高まり、読取手段に対する原稿給送手段の傾きの要求精度が厳しくても、測定−調整を１回で済ませて調整を直ちに収束できる。無益な繰り返しを排除して調整の作業能率を高め得るので、取り付け角度の調整を精度高く低コストで素早く簡単に済ませることができ、出荷製品ごとの調整のばらつきも小さくなる。
【発明を実施するための最良の形態】
【００１９】
以下、本発明の実施形態である画像形成装置１００について、図面を参照して詳細に説明する。本発明の画像読取装置は、以下に説明する実施形態の限定的な構成には限定されない。給送された原稿を流し読みする限りにおいて、各実施形態の構成の一部または全部を、その代替的な構成で置き換えた別の実施形態でも実施可能である。
【００２０】
本実施形態では、画像形成装置１００の機体上部に配置された画像読取装置２を説明する。しかし、本発明の画像読取装置は、画像形成装置のみならず、単独のフラットテーブルスキャナ、画像データ読取装置、文字認識装置（ＯＣＲ）、シート加工装置、シート処理装置等として実施してもよい。
【００２１】
本実施形態では、感光体ドラムに形成したトナー像をシートに転写してモノクロ画像を形成する画像形成装置を説明する。しかし、本発明の画像形成装置は、１以上の感光体ドラムに形成した各分解色のトナー像を中間転写ベルト等に一次転写した後に記録材へ二次転写するフルカラー画像形成装置でも実施できる。電子写真方式の画像形成装置のみならず、インクジェット方式、熱転写方式、各種印刷方式等、種々の画像形成装置にも搭載可能である。プリンタに限らず、各種印刷機、複写機、ＦＡＸ、複合機等、種々の用途の画像形成装置として実施可能である。
【００２２】
＜画像形成装置＞
図１は画像形成装置の全体構成を断面で示した説明図である。図１に示すように、感光体ドラム８１を用いて電子写真方式の画像形成を行う画像形成装置１００は、機体上部に画像読取装置２を搭載している。画像読取装置２は、セットされた束原稿から１枚ずつを分離して画像読取装置２に給送する自動原稿給送装置３を装備している。画像読取装置２によって読み取られた原稿の画像データが画像形成部８０へ送信されて、シートＰへの画像形成に供される。
【００２３】
シートＰは、シート束を貯留したカセット９１から一枚ずつ取り出されてレジストローラ９２で待機し、感光体ドラム８１に形成されたトナー像に先頭を一致させて、感光体ドラム８１と転写装置８５との間隔へ送り込まれる。
【００２４】
感光体ドラム８１を囲んで、帯電器８２、露光装置８３、現像装置８４、転写装置８５、およびクリーニング装置８６が配置される。帯電器８２は、回転する感光体ドラム８１の表面を一様に帯電する。露光装置８３は、一様に帯電した表面にレーザー光を走査して静電潜像を形成する。現像装置８４は静電潜像にトナーを供給してトナー像に現像する。転写装置８５は、感光体ドラム８１の表面のトナー像をシートＰへ転写する。クリーニング装置８６は、転写後の感光体ドラム８１上に残留したトナーを除去して次の画像形成に備えさせる。
【００２５】
トナー像を転写されたシートＰは、定着装置８７で熱と圧力とを加えられて、表面にトナー像が溶融、定着される。定着済みシートは、排出トレイ８８へ排出して積載される。
【００２６】
＜画像読取装置＞
図２は画像読取装置の斜視図、図３は画像読取装置の本体構成の説明図、図４はイメージセンサの構成の説明図、図５は画像読取装置の本体上部断面の拡大図である。
【００２７】
図２に示すように、画像読取装置２の本体上面には、固定読み用のコンタクトガラス４に載置された原稿の押え板を兼ねて、自動原稿給送装置３が背面側へ開閉可能に取り付けられている。コンタクトガラス４に近接させて、流し読み時に自動原稿給送装置３が給送した原稿を通過させる流し読みガラス５が配置されている。コンタクトガラス４の二辺を占めて、固定読み原稿をセットする場所の目安となる主走査方向の画先基準板１２と副走査方向の画先基準板１３が貼り付けられている。
【００２８】
図３に示すように、画像読取装置２は、線画像を読み取るコンタクトイメージセンサ７を用いて原稿の下面の画像を読み取る。コンタクトイメージセンサ７をコンタクトガラス４の下を移動させて、コンタクトガラス４に載置された原稿を読み取る方法を一般に“固定読み”と言う。一方、コンタクトイメージセンサ７を流し読みガラス５の下に位置決め停止させて、自動原稿給送装置（３：図２）によって搬送されて流し読みガラス５上を移動する原稿を読み取る方法を一般に“流し読み”と言う。
【００２９】
画像読取装置２は、支持ステー６を挟んで、コンタクトガラス４と流し読みガラス５とを平面的に配設する。コンタクトイメージセンサ７は、キャリッジ（走行体）８に対して昇降可能に取り付けられ、前後に配置された不図示の案内レールによってコンタクトガラス４（流し読みガラス５）との間に僅かな隙間を確保した高さ位置に位置決められている。キャリッジ８は、駆動ベルト１０に固定され、駆動モータ９によって駆動された駆動ベルト１０の循環に伴って矢印方向に移動する。
【００３０】
支持ステー６の直下位置に、キャリッジ８のホームポジションを検知するホームポジションセンサ１１が備え付けられている。ホームポジションセンサ１１に検知される位置からキャリッジ８をコンタクトガラス４の下面に沿って移動させることにより、コンタクトイメージセンサ７は、原稿の下面を固定読みする。流し読み時には、ホームポジションセンサ１１に検知される位置からキャリッジ８を移動させてコンタクトイメージセンサ７を流し読みガラス５下に位置決め停止させる。
【００３１】
図４に示すように、コンタクトイメージセンサ７は、ＬＥＤ等を用いた棒状の光源７ａ、微小なレンズ素子を板状に一体化させたレンズ７ｂ、受光素子を一列に配列したＣＣＤ等のイメージセンサ７ｃを一体に固定して組み立ててある。コンタクトイメージセンサ７は、光源７ａから光を照射して対向面を照明し、照明された画像がレンズ７ｂによってイメージセンサ７ｃに投影される。投影された画像からイメージセンサ７ｃが線画像を読み取って画像信号を生成し、不図示の変換回路によって画像信号が画素ごとの濃度階調に変換される。線画像の濃度階調から形成された画像データが不図示の記録媒体や図１に示す画像形成装置１００の制御部９０へ送信される。
【００３２】
図５に示すように、支持ステー６に隣接させてコンタクトガラス４の上面には、上述した主走査方向の画先基準板１２が貼り付けられ、画先基準板１２の裏側に、白色基準板１４が貼り付けられている。白色基準板１４は、コンタクトイメージセンサ７の全長に対向する細長い部材である。白色基準板１４の白は、輝度値で表現すると０〜２５５段階の内の２５５である。一般的には、輝度値２５５はこれ以上、上のない白の値である。
【００３３】
固定読み、流し読みに関わらず、原稿の画像を読み取る前にコンタクトイメージセンサ７を白色基準板１４下に位置させ、光源（７ａ：図４）で照明された白色基準板１４をレンズ（７ｂ：図４）を介してイメージセンサ（７ｃ：図４）により読み取って全白信号を採取する。
【００３４】
画像読取装置２の画像処理基板（不図示）に搭載されたシェーディング補正回路（不図示）は、コンタクトイメージセンサ７で読み取った全白信号を白の絶対基準として記憶して、コンタクトイメージセンサ７で原稿を読み取った際の線画像の画像信号の不均一性を相殺するシェーディング補正処理を行う。シェーディング補正回路は、白色基準板１４を読み取った線画像の濃度分布を用いて、原稿を読み取った線画像の濃度分布を補正する。
【００３５】
コンタクトイメージセンサ７で読み取った線画像の不均一性は、図４に示す光源７ａの光量不均一性、レンズ７ｂの透過不均一性、あるいは、イメージセンサ７ｃの感度不均一性に起因している。
【００３６】
＜自動原稿給送装置＞
図６は自動原稿給送装置の断面構成の説明図、図７は自動原稿給送装置による裏面読み取りの説明図、図８は自動原稿給送装置の取り付け構造の説明図、図９はヒンジの取り付け状態の説明図である。図９中、（ａ）は右側ヒンジの拡大図、（ｂ）は左右ヒンジの取り付け状態である。
【００３７】
図６に示すように、自動原稿給送装置３は、原稿トレイ１７にセットされた原稿束から原稿１８を１枚ずつ分離して画像読取装置２に給送し、流し読みガラス５上を通過させて原稿排出トレイ２８に排出する。
【００３８】
下降したピックアップローラ１９によって自動原稿給送装置３の内部に送り込まれた原稿１８は、押圧ばね２０により分離パッド２１を分離ローラ２２に圧接した分離部で１枚ずつに分離される。原稿１８が１枚だけ送り込まれた場合、分離ローラ２２は、原稿１８を搬送ローラ対２３に送り込むが、原稿１８が重なって送り込まれた場合、最上位の原稿１８に重なっている下位の原稿１８は分離パッド２１によって進入を阻止され、最上位の１枚の原稿１８だけが搬送ローラ対２３に送り込まれる。
【００３９】
原稿１８は、搬送ローラ対２３から搬送ローラ対２４へ受け渡されて流し読みガラス５上を通過し、読み取り位置２６に位置決め停止されたコンタクトイメージセンサ（７：図４）によって下面の画像を流し読みされる。片面読み取りの場合、流し読みガラス５上を通過した原稿１８は、搬送ローラ対２５を経て排紙ローラ対２７から原稿排出トレイ２８に排出される。
【００４０】
図７に示すように、原稿１８の両面を読み取る場合、原稿１８の後端が反転フラグ２９を通過した後、排紙ローラ対２７が逆転して、原稿１８を搬送ローラ対２３にスイッチバック搬送する。スイッチバック搬送により表裏が反転した原稿１８は、搬送ローラ対２４に受け渡されて流し読みガラス５を通過して１回目とは反対側の面を流し読みされる。流し読みガラス５上を通過した原稿１８は、搬送ローラ対２５を経て排紙ローラ対２７から原稿排出トレイ２８に排出される。
【００４１】
画像読取装置２の流し読みガラス５上面には、原稿１８の読取面のゴミを掻き落とすための掻き落としシート５ａが貼り付けてある。掻き落としシート５ａは、コンタクトイメージセンサ７の長手方向（主走査方向）と平行が一致するように、流し読みガラス５上に貼り付けられている。コンタクトガラス４と流し読みガラス５との対向する辺を支持する支持ステー６には、流し読みガラス５を通過した原稿１８を上方へ案内して搬送ローラ対２５へ導く斜面が形成されている。
【００４２】
図８に示すように、画像読取装置２の装置本体の上面には、左ヒンジ３０ａと右ヒンジ３０ｂとを用いて、自動原稿給送装置３が後方へ開閉可能に据え付けてある。
【００４３】
左ヒンジ３０ａおよび右ヒンジ３０ｂは、０度〜９０度の範囲で開閉可能であって、内蔵したねじりコイルばねによって開く方向に付勢されている。これにより、画像読取装置２で固定読みを行う場合、自動原稿給送装置３の自重よりも軽い力で自動原稿給送装置３を後方へ開いて原稿をコンタクトガラス４上に載置できる。固定読みの終了後は自動原稿給送装置３の自重よりも軽い力で自動原稿給送装置３を後方へ開いて原稿を取り出すことができる。
【００４４】
左ヒンジ３０ａおよび右ヒンジ３０ｂは、自動原稿給送装置３に予め固定されている。画像読取装置２の装置本体の上面に取り付けて緩めた状態の左右の引っ掛けビス３１ａ、３１ｂに左ヒンジ３０ａおよび右ヒンジ３０ｂを引っ掛けて自動原稿給送装置３を位置決めし、左右の固定ビス３２ａ、３２ｂで左ヒンジ３０ａおよび右ヒンジ３０ｂを画像読取装置２の装置本体の上面に固定し、その後、引っ掛けビス３１ａ、３１ｂを締め付けている。
【００４５】
図９の（ａ）に示すように、右ヒンジ３０ｂの開口３３ｂは、引っ掛けビス３１ｂが通過する大きさに形成されている。左ヒンジ（３０ａ：図８）についても同様に形成されているので、緩めた状態の左右の引っ掛けビス３１ａ、（３１ｂ：図８）を通過させて自動原稿給送装置３を取り付けできる。
【００４６】
図９の（ｂ）に示すように、開口３３ａ、３３ｂは、鍵穴型の形状であって、円形部分に引っ掛けビス３１ａ、３１ｂを通過させた後に方形部分へスライドさせて自動原稿給送装置（３：図８）を仮位置決めできる。この状態で左ヒンジ３０ａの開口３４ａに固定ビス３２ａを緩く取り付けて、自動原稿給送装置（３：図８）を傾き調整する際の回転中心とする。右ヒンジ３０ｂの開口３４ｂは長孔となっているので、開口３４ｂの範囲で自動原稿給送装置（３：図８）を回転して傾きを調整する。右側ヒンジ３０ｂの開口３４ｂの縁には傾き調整時の目印である刻印３５がつけてあり、刻印３５をビス締め付け位置の目印とし、固定ビス３２ａを中心（支点）として、自動原稿給送装置（３：図８）の傾きを調整する。
【００４７】
＜流し読み時のコンタクトイメージセンサの位置決め＞
図１０は流し読み位置検出制御の説明図である。
【００４８】
図４に示すように、自動原稿給送装置３には、流し読みガラス５の上方に位置させてプラテンローラ１５が設置されている。プラテンローラ１５は、原稿１８に従動回転して原稿１８の搬送負荷を減らすとともに、流し読みガラス５を通過する原稿１８の浮きを抑えて、読取画像のぶれを防ぐ。半透明原稿の背景色となるのを回避するために、プラテンローラ１５は、輝度値としてはこれ以上無い白色（輝度２５５以上）の白色になっている。プラテンローラ１５は、流し読み時にコンタクトイメージセンサ７が位置決め停止される流し読み位置２６のほぼ真上に、自動原稿給送装置３による原稿１８の搬送方向と直角方向に設置されている。
【００４９】
プラテンローラ１５に一部重ねて自動原稿給送装置３に白色シート１６が備え付けられている。白色シート１６は、流し読みに先立たせてコンタクトイメージセンサ７を流し読み位置２６へ位置決める際の位置出し基準となる。白色シート１６とプラテンローラ１５との間に隙間１６ａを形成して、光源７ａの照明によって隙間１６ａに影を作り出し、これによりコンタクトイメージセンサ７の対向面の輝度を部分的に低下させている。
【００５０】
コンタクトイメージセンサ７を流し読み位置２６へ位置決める際には、輝度の落ち込み位置１６ｂを探索するため、コンタクトイメージセンサ７を流し読みガラス５に沿って移動させて自動原稿給送装置３の下面を固定読みする。
【００５１】
すなわち、コンタクトイメージセンサ７を支持ステー６下のホームポジションから図４の左端位置へ移動させた後に反転して右方向へ移動させつつ、コンタクトイメージセンサ７の中央の受光素子の出力変化（画素の輝度変化）を連続的に検知する。右方向へ移動する際の位置−輝度の関係をグラフ化すると図１０のようになる。ただし、図１０は、コントラストを確保するために照明を低下させ、コンタクトイメージセンサ７を流し読み位置２６を停止させることなく通過させた実験結果である。
【００５２】
そして、図１０に示すスレッシュＬＥＶＥＬ以下の輝度の落ち込みピークを検知してから所定の移動距離だけコンタクトイメージセンサ７を移動して停止させることにより、コンタクトイメージセンサ７が流し読み位置２６に位置決められる。
【００５３】
言い換えれば、図１０の輝度が落ちた部分を基準として利用し、その基準から、例えば固定読み側に３ｍｍ動かした位置が流し読み時のコンタクトイメージセンサ７の位置になるようにしている。コンタクトイメージセンサ７の位置決め制御では、コンタクトイメージセンサ７の位置の基準として、コンタクトイメージセンサ７移動時の位置基準であるホームポジションセンサ（１１：図３）を利用している。
【００５４】
自動原稿給送装置３を画像読取装置２に取り付ける際には、取り付け誤差、公差があり、ホームポジションセンサ（１１：図３）の位置にも取り付け誤差、公差がある。従って、ホームポジションセンサ（１１：図３）の位置からコンタクトイメージセンサ７を所定距離だけ図４の左方向へ移動させて停止させた場合には、流し読み位置２６の誤差が発生する。図１０を参照して説明した位置出しのシーケンスは、流し読み位置２６を現物で合わせて、上述した取り付け誤差、公差に起因する誤差を取り除くので有効である。このような位置出しのシーケンスを総称して読取位置検知と呼び、自動原稿給送装置３の下面をイメージセンサ７により固定読みすることをバックスキャンと呼んでいる。
【００５５】
＜第１実施形態の調整方法＞
図１１はバックスキャン画像の説明図、図１２はバックスキャン画像のプリントアウトの説明図である。図１１中、（ａ）は正常な取り付け状態、（ｂ）は傾いた取り付け状態である。
【００５６】
図１に示す画像形成装置１００の正面側には、不図示の操作部が配置されている。操作部を操作してサービスモードを選択し、サービスモードのスイッチ設定をバックスキャンモード（コンタクトイメージセンサを流し読み位置への位置決めるモード）に設定する。この状態でスタートボタンを押すと、図４に示すように、コンタクトイメージセンサ７がコンタクトガラス４の面に貼り付けられている白色基準板１４の位置から読取りを開始し、プラテンローラ１５の直下を通過し、流し読みガラス５の上面に貼り付けてある掻き落としシート５ａを通り過ぎたあたりまでバックスキャン画像を読取る。バックスキャン画像は、画像形成装置１００の制御部９０に搭載されている汎用ハードディスク、汎用メモリ等の記憶装置に格納される。その後、上述した位置出しのシーケンスが実行されてコンタクトイメージセンサ７が流し読み位置２６へ位置決め停止される。
【００５７】
図１１の（ａ）に示すように、バックスキャン画像は、自動原稿給送装置３の下面を流し読みガラス５を介して固定読みした画像であって、支持ステー６、プラテンローラ１５、白色シート１６、掻き落としシート５ａを含んでいる。ラインＡは、白色シート１６とプラテンローラ１５との間の隙間１６ａの段差の影である。ラインＢは、流し読みガラス５上に貼り付けられた掻き落としシート５ａの端部の影である。
【００５８】
図１１の（ｂ）に示すように、自動原稿給送装置３が傾いて取り付けられていると、ラインＡが傾いてしまう。図４に示すように、画像読取装置２の装置本体では、コンタクトイメージセンサ７に合わせて掻き落としシート５ａを貼り付けてあるからである。従って、バックスキャン画像のラインＡとラインＢとの距離を両端で実測して手前側距離Ｃ１、奥側距離Ｃ２とし、手前側距離Ｃ１と奥側距離Ｃ２とが一致するように自動原稿給送装置（３：図８）を取り付け直すことにより、ラインＡとラインＢの平行を合わせる。
【００５９】
具体的には、位置出しのシーケンスの終了後、操作部を通じてバックスキャン画像のプリントアウトを指令すると、図１に示す画像形成装置１００は、図１１の（ｂ）のバックスキャン画像の両端部分（Ｆ：手前側、Ｒ：奥側）を取り出して拡大した画像を図１２に示すようにプリントアウトする。調整担当者は、プリントアウトから手前側距離Ｃ１と奥側距離Ｃ２とを実測して、図８、図９を参照して説明したように自動原稿給送装置３の傾き角度を修正する。
【００６０】
＜第２実施形態の調整方法＞
図１２に示す実測用のバックスキャン画像は、画像読取装置２に接続した外部モニタ画面に表示してもよい。この場合、図１に示す画像形成部８０を起動して画像形成を行う必要が無い。画像形成部８０に搭載する以前の段階で画像読取装置２に対する自動原稿給送装置３の組み立て／調整を済ませることができる。
【００６１】
＜第３実施形態の調整方法＞
バックスキャン画像の取得、表示をするにあたり、必ずしも複写機、複合機などに備えられた操作部から既存のスイッチ操作に頼る必要は無い。画像読取装置２に接続した外部コンピュータからのコマンド入力操作により、バックスキャン画像の取得を行ってもよい。
【００６２】
＜第４実施形態の調整方法＞
図１３は第４実施形態の調整手順のフローチャート、図１４は自動原稿給送装置の正常な取り付け状態における測定結果の説明図、図１５は自動原稿給送装置の傾いた取り付け状態における測定結果の説明図である。第４実施形態では、線画像の中の２つの画素における輝度変化を抽出して自動原稿給送装置３の回転方向と回転量とを演算する。
【００６３】
図１３に示すように、作業用コンピュータを画像読取装置２に接続してバックスキャンモードを立ち上げ、各種設定を行う（Ｓ１１）。コンタクトイメージセンサ７をバックスキャンのために移動させる範囲、バックスキャン画像を記録する範囲、移動方向の画素ピッチ、コンタクトイメージセンサ７の手前側と奥側とから１つずつ選択された輝度測定に係る画素がそれぞれ設定される。
【００６４】
作業用コンピュータは、画像読取装置２および自動原稿給送装置３を制御して通常の原稿読み取り動作を行わせる他に、各種テストモード動作を行わせて、画像データの採取、記録、画像処理、データ抽出、各種統計および出力処理を行う。
【００６５】
次に、作業用コンピュータに表示させたスイッチを操作してバックスキャンモードを開始させる（Ｓ１２）。上述したように、コンタクトイメージセンサ７が白色基準板１４を読み取って（Ｓ１３）、コンタクトイメージセンサ７で読み取った線画像（主走査方向）の各画素の輝度補正値が演算されて記憶される（Ｓ１４）。
【００６６】
次に、キャリッジ８をホームポジションセンサ１１で検知して、バックスキャン開始位置へ移動させた後に（Ｓ１５）、所定の移動速度にてバックスキャンを開始させ、移動方向の画素ピッチに相当する間隔でコンタクトイメージセンサ７が線画像を読み込む（Ｓ１６）。
【００６７】
そして、シェーディング補正した線画像の中の２つの画素（Ｓ１１で設定）の輝度をデータ格納部Ｐ１に保存する（Ｓ１７）。コンタクトイメージセンサ７が設定された移動範囲に達するまで（Ｓ１８のＮＯ）、Ｓ１６、Ｓ１７を繰り返す。
【００６８】
コンタクトイメージセンサ７が設定された移動範囲に達すると（Ｓ１８のＹＥＳ）、２つの画素における図１４（あるいは図１５）に示すような輝度分布の連続データが形成される。２つの画素は、図１１の（ｂ）に示すように、コンタクトイメージセンサ（７：図２）の長手方向に距離を隔てて設定されている。従って、コンタクトイメージセンサ（７：図４）に対して白色シート１６が平行であれば、図１４に示すように画素ａ、ｂの輝度ピーク（落ち込み）は一致するが、平行でなければ、図１５に示すように画素ａ、ｂの輝度ピークはずれる。
【００６９】
作業用コンピュータは、格納部Ｐ１から画素ａ、ｂの輝度データを呼び出して、スレッシュＬＥＶＥＬを割り込む落ち込みのピーク位置を抽出し（Ｓ１９）、画素ａ（手前側）のピーク位置から画素ｂ（奥側）のピーク位置を引き算する（Ｓ２０）。そして、引き算の結果が０であれば（Ｓ２０の一致）、調整不要と判断してＯＫ判定を表示する（Ｓ２４）。
【００７０】
しかし、引き算結果が正の場合（Ｃ１＞Ｃ２）は、自動原稿給送装置３を時計回りに刻印（３５：図９の（ｂ））で何刻み分回転させるかを作業用コンピュータに表示する（Ｓ２１）。
【００７１】
一方、引き算結果が負の場合（Ｃ１＜Ｃ２）は、自動原稿給送装置３を反時計回りに刻印（３５：図９の（ｂ））で何刻み分回転させるかを作業用コンピュータに表示する（Ｓ２３）。
【００７２】
調整担当者は、作業用コンピュータの表示に従って自動原稿給送装置３の取り付け角度を調整した後に（Ｓ２２）、バックスキャンモードを再度行って（Ｓ１２）、調整結果を確認する。
【００７３】
流し読み時のコンタクトイメージセンサの位置決めと同様に、主走査方向（コンタクトイメージセンサ７のセンサ並び方向）の手前側と奥側との位置２カ所で、副走査方向（読み取り方向）の一定間隔毎、例えば、０．１ｍｍ単位毎に、黒〜白の表現手段である輝度値（黒：０〜白：２５５の全２５６階調）を検出し、それぞれの位置での輝度−位置の分布グラフを示すと図１４のようになる。グラフ上における画素ａ、ｂの輝度の落ち込みピークは、コンタクトイメージセンサ７で読み取られた影の位置であって、図４に示す白色シート１６とプラテンローラ１５との間の隙間１６ａの段差の影での輝度落ち込みは、流し読みガラス５に貼り付けられた掻き落としシート５ａの影での輝度落ち込みよりも大きいので、両者はスレッシュＬＥＶＥＬで分離可能である。
【００７４】
自動原稿給送装置３が画像読取装置２の装置本体に対して斜めに取り付いていた場合、バックスキャン画像としては図１１の（ｂ）のようになり、図１５に示すように、画素ａ、ｂの輝度落ち込みピークがずれてしまう。
【００７５】
この現象を利用して、手前側の画素ａの輝度落ち込み位置までの移動距離と、奥側の画素ｂの輝度落ち込み位置までの移動距離とが一致した場合、自動原稿給送装置３と原稿読取装置２の装置本体との直角性が正しく取り付けられていると判断できる。
【００７６】
手前側の画素ａと奥側の画素ｂとで輝度落ち込み位置が一致したかどうかを判定する判定機能は、画像形成装置１００の制御部９０にメンテナンス用プログラムとして保持させておくことができる。この場合、自動原稿給送装置３を用いて流し読みを行うごとに判定機能を起動して、判定結果を日付時刻とともに記録してもよい。プリント画像の傾きのトラブルが発生した場合に、判定結果を呼び出して、自動原稿給送装置３の傾きが原因か否かを速やかに判定できる。
【００７７】
画素ａと画素ｂとにおける輝度落ち込み位置のプラス、マイナスの値を判定ルーチンに入れることにより、自動原稿給送装置３の取り付けを再調整する場合、取付支点を中心にして自動原稿給送装置３を右回転、左回転どちらをすればよいかを判定して表示する回転方向の指示メッセージを出すことができる。
【００７８】
なお、第４実施形態では、コンタクトイメージセンサ７の２つの画素ａ、ｂについて、輝度落ち込み位置のずれ量を求めたが、画素ａ、ｂの距離と等しい距離を隔てた別の画素ｃ、ｄについても同様に輝度落ち込み位置のずれ量を求めて平均値のずれ量を出力してもよい。3以上の画素について輝度落ち込み位置を検知して画素の配置関係で比例処理してコンタクトイメージセンサ７の相対的な傾き角度や、コンタクトイメージセンサ７の両端におけるずれ量を演算して出力してもよい。
【００７９】
＜第５実施形態の調整方法＞
図１６は第５実施形態の調整手順のフローチャートである。図１６のフローチャートは、図１３のフローチャートからの変更部分のみを示しており、第４実施形態と共通する部分に関しては図示および詳細な説明を省略する。
【００８０】
第４実施形態では、手前側の画素ａと奥側の画素ｂとで輝度落ち込み位置が完全一致（移動方向の読み取りピッチ内に位置）した場合をＯＫ判定としたが、第５実施形態ではＯＫ判定に幅を持たせている。
【００８１】
つまり、図１３のフローチャートにおける引き算判定（Ｓ２０）において、引き算結果が０を中心とした所定範囲内であればＯＫ判定とし、所定範囲を逸脱している場合に限り調整勧告を判定する。
【００８２】
図１６に示すように、作業用コンピュータは、手前側の画素ａと奥側の画素ｂとにおける輝度落ち込みのピーク位置を抽出し（Ｓ１９）、画素ａのピーク位置から画素ｂのピーク位置を引き算する（Ｓ３０）。そして、引き算の結果が±２画素ピッチの範囲内であれば（Ｓ３０の一致）、調整不要と判断してＯＫ判定を表示する（Ｓ２４）。
【００８３】
しかし、引き算結果が２画素ピッチを越えて大きい場合は、自動原稿給送装置３を時計回りに刻印（３５：図９の（ｂ））で何刻み分回転させるかを作業用コンピュータに表示する（Ｓ３１）。
【００８４】
一方、引き算結果が２画素ピッチを越えて小さい場合は、自動原稿給送装置３を反時計回りに刻印（３５：図９の（ｂ））で何刻み分回転させるかを作業用コンピュータに表示する（Ｓ３３）。
【００８５】
調整担当者は、作業用コンピュータの表示に従って自動原稿給送装置３の取り付け角度を調整した後に（Ｓ２２）、バックスキャンモードを再度行って、調整結果を確認する。
【００８６】
第５実施形態によれば、手前側の画素ａと奥側の画素ｂとの間で輝度落ち込み位置に若干のズレを生じた場合でも、ズレの許容範囲を事前に設定することで、例えば、許容範囲を±２．０ｍｍとしてやることで、自動原稿給送装置３の設置時の直角性に幅を持たせて、調整の許容幅を広げることが可能となる。
【００８７】
＜比較例の調整方法＞
図１７は比較例の調整方法で用いる基準原稿の平面図、図１８はテストプリントの平面図である。比較例の調整方法では、図１〜図１０を参照して説明した画像形成装置１００においてテストプリントを行って自動原稿給送装置３の傾き調整を行う。
【００８８】
自動原稿給送装置３を画像読取装置２に取り付ける際に、図１７に示す縦線、横線が入った基準原稿３４を自動原稿給送装置３にセットして、画像形成装置１００をコピーモードとしてスタートボタンを押す。これにより、自動原稿読取装置３を用いて基準原稿３４を流し読みし、画像形成部８０を用いて図１８に示すテストプリント３５をプリントアウトする。
【００８９】
調整担当者は、基準原稿３４とテストプリント３５とを見比べて、画像が斜めになっていないかを確認する。そして、斜めにテストプリント３５の画像が形成された場合、画像が曲がった方向と逆の方向に自動原稿給送装置３を回転させて再度テストプリントを実行する。この手順を繰り返して傾き調整を行っている。この調整は、斜行調整と呼ばれている。斜行調整は、工場で自動原稿給送装置３を設置する場合、あるいは、自動原稿給送装置３をオプション装備として市場で製品のサービスマン、あるいは、ユーザが設置をする際に行われている。
【００９０】
しかし、テストプリント３５の画像が斜めになる原因は、自動原稿給送装置３の傾きとは限らない。以下のような原因もあり得る。
（１）自動原稿給送装置における原稿搬送の斜行、蛇行
（２）自動原稿給送装置の取付部品公差による傾き
（３）コンタクトイメージセンサの取付部品寸法公差による傾き
（４）画像形成されるプリント用紙の斜行、蛇行
【００９１】
従って、テストプリント３５に頼って斜行調整する際、最悪のケースの場合、突発的に画像形成部８０でシートＰの斜行が出た場合、自動原稿給送装置３の傾き調整を間違える可能性がある。テストプリント３５を何回も繰り返して、そのたびに自動原稿給送装置３を回転させて固定し直すのも面倒である。
【００９２】
そして、自動原稿給送装置３のプラテンローラ１５に対して直角方向に搬送される原稿１８の搬送方向と、コンタクトイメージセンサ７のセンサ配列である主走査方向が直角になっているかどうかについて、直接確認する手段が、現状無かった。
【００９３】
これに対して、上述した実施形態１〜５の調整方法によれば、自動原稿給送装置３を画像読取装置２の装置本体へ取り付ける際に原稿を流す必要が無くなり、その結果、工場での組み立て調整、あるいは、ユーザ、サービスマンによる現地での交換調整時間が短縮される。そして、常に均一した自動原稿読取装置３の設置が可能となり、画像読取装置の機差間による設置バラツキを少なくすることができた。
【００９４】
＜発明との対応＞
画像読取装置２は、流し読み位置２６に位置決めされた状態で対向面の線画像を読み取るコンタクトイメージセンサ７と、前記対向面に沿った前記線画像を横断する方向に原稿を移動させる自動原稿給送装置３と、前記対向面に沿った前記線画像を横断する方向にコンタクトイメージセンサ７を移動させる駆動モータ９、駆動ベルト１０とを備える。第１実施形態では、自動原稿給送装置３が原稿を給送しない状態で駆動モータ９を作動させて、コンタクトイメージセンサ７により自動原稿給送装置３を固定読みさせる制御部９０と、自動原稿給送装置３の固定読み結果を用いて自動原稿給送装置３の傾きに関する情報（画像データ）を作成する制御部９０とを備える。
【００９５】
画像読取装置２は、テストプリントも原稿の流し読みも行うことなく、自動原稿給送装置３の下面をコンタクトイメージセンサ７で固定読みして、自動原稿給送装置３の傾き方向および傾き角度が反映された情報を作成する。コンタクトイメージセンサ７の移動に伴って対向する自動原稿給送装置３の下面の凹凸、部品の陰影、専用指標、図柄、プラテンローラ、白色基準板等が固定読みされる。
【００９６】
そして、固定読みされた線画像方向の直線の傾き、線画像方向に距離を隔てた２つの位置の時間的、空間的なずれ、画像の傾き等を評価可能な形態で画像を出力するだけでもよい。固定読みした画像データを画像処理して、上記直線や上記２つの位置を特徴抽出することにより、コンタクトイメージセンサ７に対する自動原稿給送装置３の傾き調整量を自動的に演算して出力してもよい。
【００９７】
いずれにせよ、自動原稿給送装置３の固定読み結果から、原稿ごと（給送ごと）の自動原稿給送装置３に対する原稿の傾きのばらつきを排除できる。テストプリントによる自動原稿給送装置３の傾き調整量に含まれていた誤差要因が取り除かれて、コンタクトイメージセンサ７に対する自動原稿給送装置３の傾きの実態を１回で正確に把握できる。測定された傾き調整量に基づく１回の調整でコンタクトイメージセンサ７に対する自動原稿給送装置３の傾きを相殺できる。調整後の１回の測定で調整結果を確実に確認できる。
【００９８】
従って、自動原稿給送装置３の傾き調整量の測定精度が著しく高まり、コンタクトイメージセンサ７に対する自動原稿給送装置３の傾きの要求精度が厳しくても、測定−調整を１回で済ませて調整を直ちに収束できる。無益な繰り返しを排除して調整の作業能率が高めることができるので、取り付け角度の調整を精度高く低コストで素早く簡単に済ませることができ、出荷製品ごとの調整のばらつきも小さくなる。
【００９９】
また、コンタクトイメージセンサ７の移動方向に並列な直線の読み取り結果を評価することで、移動方向と線画像との直角関係（キャリッジ８のレールの傾き）に関する情報も取り出すことができる。しかし、バックスキャンでは移動のストロークが短いので、コンタクトガラス４側での固定読み画像を用いたほうが精度が高くなる。
【０１００】
なお、自動原稿給送装置３に対する原稿の搬送方向の傾きは、自動原稿給送装置３の傾き調整完了後に実際に原稿を流し読みして調整量を求め、自動原稿給送装置３で機構的に調整することが望ましい。
【０１０１】
また、画像読取装置２の装置本体に対してコンタクトイメージセンサ７が傾いている場合、自動原稿給送装置３を傾けて傾き調整量を相殺すると、画像読取装置２の装置本体に対して自動原稿給送装置３が傾いてしまう見苦しい結果となる。従って、自動原稿給送装置３の固定読みに先立たせて、画像読取装置２の装置本体に対するコンタクトイメージセンサ７の傾きを取り除いておくことが望ましい。
【０１０２】
第１実施形態では、コンタクトイメージセンサ７は、原稿の移動方向を直角に横断するラインＡを自動原稿給送装置３から固定読みし、制御部９０は、ラインＡを含む自動原稿給送装置３の固定読み画像を出力する。
【０１０３】
第１実施形態の変形例では、コンタクトイメージセンサ７は、原稿の移動方向を直角に横断するラインＡを自動原稿給送装置３から固定読みする。制御部９０は、ラインＡを含む自動原稿給送装置３の固定読み画像を画像処理してラインＡ、Ｂを抽出し、ラインＡ、Ｂの傾き方向と傾き量とを求めてもよい。これにより、第４実施形態と同様な傾き調整を行うことができる。
【０１０４】
第４実施形態では、コンタクトイメージセンサ７は、原稿の移動方向を直角に横断するラインＡを自動原稿給送装置３から固定読みする。画像読取装置２に接続した作業用コンピュータは、ラインＡを含む自動原稿給送装置３の固定読み信号を処理してラインＡの傾き方向と傾き量とを求める。
【０１０５】
第４実施形態では、作業用コンピュータは、前記線画像の方向に距離を隔てたコンタクトイメージセンサ７の画素ａ、ｂにおける出力信号落ち込みピークを検知して、画素ａ、ｂにおける出力信号落ち込みピークのずれ量を求める。
【０１０６】
第５実施形態では、作業用コンピュータは、画素ａ、ｂにおける出力信号落ち込みピークのずれ量が予め定めた許容範囲を逸脱している場合に、自動原稿給送装置３による原稿の移動方向の修正方向と修正角度とを出力する。
【０１０７】
画像読取装置２は、自動原稿給送装置３のコンタクトイメージセンサ７に対する対向面に配置されてコンタクトイメージセンサ７を流し読み位置２６へ位置決める際の指標となる白色シート１６を備える。ラインＡは、白色シート１６の縁の影である。従って、既存の位置決め用部材を用いて既存の位置決めプログラムを一部変更するだけで、自動原稿給送装置の位置決め機能を追加できる。
【０１０８】
画像形成装置１００は、画像読取装置２と、画像読取装置２で読み取った画像をシートに画像形成する画像形成部８０と、画像読取装置２による画像の読み取りと画像形成部８０による画像形成とを制御部９０に指令入力可能な不図示の操作部とを備える。自動原稿給送装置３の固定読みが不図示の操作部を通じて指令される。
【０１０９】
画像形成装置１００は、画像読取装置２と、画像読取装置２で読み取った画像をシートに画像形成する画像形成部８０と、画像読取装置２による画像の読み取りと画像形成部８０による画像形成とを制御部９０に指令入力可能な不図示の操作部とを備える。固定読み画像を用いた画像形成部８０による画像形成が不図示の操作部を通じて指令される。
【０１１０】
第１実施形態〜第５実施形態は、線画像を読み取るコンタクトイメージセンサ７を備えた装置本体に自動原稿給送装置３を開閉可能に取り付けた画像読取装置２の製造方法である。装置本体に取り付けた自動原稿給送装置３の下面をコンタクトイメージセンサ７により固定読みさせる第１工程と、前記下面の固定読み結果を用いて自動原稿給送装置３の傾き角度を調整する第２工程とを備える。
【図面の簡単な説明】
【０１１１】
【図１】画像形成装置の全体構成を断面で示した説明図である。
【図２】画像読取装置の斜視図である。
【図３】画像読取装置の本体構成の説明図である。
【図４】イメージセンサの構成の説明図である。
【図５】画像読取装置の本体上部断面の拡大図である。
【図６】自動原稿給送装置の断面構成の説明図である。
【図７】自動原稿給送装置による裏面読み取りの説明図である。
【図８】自動原稿給送装置の取り付け構造の説明図である。
【図９】ヒンジの取り付け状態の説明図である。
【図１０】流し読み位置検出制御の説明図である。
【図１１】バックスキャン画像の説明図である。
【図１２】バックスキャン画像のプリントアウトの説明図である。
【図１３】第４実施形態の調整手順のフローチャートである。
【図１４】自動原稿給送装置の正常な取り付け状態における測定結果の説明図である。
【図１５】自動原稿給送装置の傾いた取り付け状態における測定結果の説明図である。
【図１６】第５実施形態の調整手順のフローチャートである。
【図１７】比較例の調整方法で用いる基準原稿の平面図である。
【図１８】テストプリントの平面図である。
【符号の説明】
【０１１２】
２  画像読取装置
３  原稿給送手段（自動原稿給送装置）
４  コンタクトガラス
５  流し読みガラス
５ａ  掻き落としシート
６  支持ステー
７  読取手段（コンタクトイメージセンサ）
８、９、１０  移動手段（キャリッジ、駆動モータ、駆動ベルト）
１５  プラテンローラ
１６  白色シート
１８  原稿
２６  読取位置（流し読み位置）
３０ａ  左ヒンジ
３０ｂ  右ヒンジ
３１ａ、３１ｂ  引っ掛けビス
３２ａ、３２ｂ  固定ビス
８０  画像形成手段（画像形成部）
９０  制御手段、情報作成手段（制御部）
１００  画像形成装置
Ａ、Ｂ  直線（ライン）
ａ、ｂ  画素（２点）
【図１】
2008061058.tif 000003
【図２】
2008061058.tif 000004
【図３】
2008061058.tif 000005
【図４】
2008061058.tif 000006
【図５】
2008061058.tif 000007
【図６】
2008061058.tif 000008
【図７】
2008061058.tif 000009
【図８】
2008061058.tif 000010
【図９】
2008061058.tif 000011
【図１０】
2008061058.tif 000012
【図１１】
2008061058.tif 000013
【図１２】
2008061058.tif 000014
【図１３】
2008061058.tif 000015
【図１４】
2008061058.tif 000016
【図１５】
2008061058.tif 000017
【図１６】
2008061058.tif 000018
【図１７】
2008061058.tif 000019
【図１８】
2008061058.tif 000020